(57)【特許請求の範囲】
【請求項１】
ディスク記録媒体の着脱が可能なディスク駆動装置と前記ディスク駆動装置を覆うディスクカバーとを有する本体部と、
表示装置を有する表示部と、
前記本体部と前記表示部を結合し、二方向に回転可能な二軸ヒンジとを備え、
前記二軸ヒンジは、前記本体部の上面に略平行な第一の軸と、前記本体部の上面に対して略直交する第二の軸とを有し、前記表示部は前記それぞれの軸を中心に回転可能な状態に構成され、
前記ディスクカバーは、前記本体部の上面に配置され、かつ前記本体部の上面に略平行な軸を中心に閉じる方向が、前記第一の軸を中心として前記表示部の閉じる方向と同一に構成されており、
前記表示部およびディスクカバーが開いた状態で、前記表示部を前記二軸ヒンジの第二の軸を中心に回転したときに、前記表示部が前記ディスクカバーに当接し、該ディスクカバーは表示部に押されて閉じる方向に移動するように構成したことを特徴とする電子機器。
【請求項２】
ディスクカバーの軸と二軸ヒンジの第一の軸との間隔が、二軸ヒンジの第二の軸と表示部の筐体外縁との距離よりも狭いことを特徴とする請求項１記載の電子機器。
【請求項３】
ディスクカバーが開く最大角度は、９０°以下であることを特徴とする請求項１乃至請求項２記載の電子機器。
【請求項４】
表示部の二軸ヒンジの第二の軸を中心にした回転の方向を１方向のみ可能に規制したことを特徴とする請求項１乃至請求項３記載の電子機器。
【発明の詳細な説明】
【技術分野】
【０００１】
本発明はノート型パーソナルコンピュータ等の電子機器に関し、詳しくはペン入力可能なタブレット型など表示部が水平方向に回転する電子機器に関するものである。
【背景技術】
【０００２】
従来のノート型パーソナルコンピュータ等の電子機器には、通常のキーボードからの入力だけでなく、表示部をタブレット型として、ペンによって入力できるようにしたものがある。このような電子機器は、開閉式の表示部を一旦開き、水平方向に１８０°回転させた後、再び表示部を閉じることにより、タブレット面が外側を向くため、ペン入力が容易に行える（例えば特許文献１）。
【０００３】
一方で、近年のそのような電子機器は、電子機器内の記憶装置に容易に情報を出し入れするために、ディスク記録媒体が着脱できるディスク駆動装置を内蔵するようになっている。
【０００４】
図３は、従来の電子機器のディスク記録媒体の着脱状態を示す外観斜視図である。
【０００５】
図３において、本体１０１には表示部１０２が開閉、および水平回転可能に取り付けられている。表示部１０２は表示装置（図示せず）を有し、表示部１０２の表面には、ペン入力のためのタブレット装置１０３が配置され、また、本体１０１と表示部１０２は、二方向に回転可能な二軸ヒンジ１０４で結合し、表示部１０２が、本体１０１の上面に平行な第一の軸１０５と、本体１０１の上面に直交する第二の軸１０６とを中心にそれぞれ回転可能な状態に構成されていた。また、本体の上面には入力装置であるキーボード１０７が配置されている。
【０００６】
また、本体１０１には外部記憶装置であるディスク駆動装置（図示せず）が内蔵され、ディスク駆動装置は、ディスク記録媒体１０８を着脱可能にするためのディスクトレー１０９を有していた。ディスクトレー１０９は本体１０１の側面からスライドして入出し、ディスク記録媒体１０８を載置するように構成されている。
【０００７】
以上のように構成された従来の電子機器において、通常の使用状態では、表示部１０２の表示装置と、キーボード１０７を使用するが、タブレット装置１０３を使用する際は、開いた状態の表示部１０２を１８０°回転させた後、再び表示部１０２を閉じ、タブレット装置１０３が上面になるように本体１０１に重ね合わせた状態で、タブレット装置１０３にペン入力を行う。
【特許文献１】特開２００４−３１０６５９号公報
【発明の開示】
【発明が解決しようとする課題】
【０００８】
しかしながら、上記従来の構成では、電子機器本体側面の外側へディスク駆動装置のディスク記録媒体の着脱を可能にするためのディスクトレーがスライドして飛び出す構成なので、ペン入力可能なタブレット型の電子機器のように、屋外での携帯使用状態が主である電子機器においては、ディスクトレーに誤って外力が加わり、ディスクトレーを破壊する恐れがあるという課題を有していた。特に、タブレット型の場合は、片手で本体を保持しながらペン入力を行うため、不用意にディスクトレーが飛び出して、載置されたディスク記録媒体が落下してしまうという問題もあった。
【０００９】
本発明は、上記従来の課題を解決するもので、ペン入力可能なタブレット型電子機器を屋外で携帯しての使用状態でも、ディスク記録媒体の着脱が安全に行え、さらに表示部を回転することによりペン入力を容易にしたタブレット型電子機器として構成する際など、ディスク駆動装置を覆うディスクカバーが開いた状態でも、ディスクカバーを破壊することのない電子機器を提供することを目的とする。
【課題を解決するための手段】
【００１０】
上記従来の課題を解決するために、本発明の電子機器は、ディスク記録媒体の着脱が可能なディスク駆動装置と前記ディスク駆動装置を覆うディスクカバーとを有する本体部と、表示装置を有する表示部と、前記本体部と前記表示部を結合し、二方向に回転可能な二軸ヒンジとを備え、前記二軸ヒンジは、前記本体部の上面に略平行な第一の軸と、前記本体部の上面に対して略直交する第二の軸とを有し、前記表示部は前記それぞれの軸を中心に回転可能な状態に構成され、
前記ディスクカバーは、前記本体部の上面に配置され、かつ前記本体部の上面に略平行な軸を中心に閉じる方向が、前記第一の軸を中心として前記表示部の閉じる方向と同一に構成されており、
前記表示部およびディスクカバーが開いた状態で、前記表示部を前記二軸ヒンジの第二の軸を中心に回転したときに、前記表示部が前記ディスクカバーに当接し、該ディスクカバーは表示部に押されて閉じる方向に移動するように構成したものである。
【００１１】
本構成によって、ペン入力可能なタブレット型電子機器を屋外で携帯しての使用状態でもディスク記録媒体の着脱が安全に行え、さらに表示部を回転することによりペン入力を容易にしたタブレット型に構成する際など、ディスク駆動装置を覆うディスクカバーが開いた状態でも、表示部を回転可能としたものである。
【発明の効果】
【００１２】
本発明の電子機器によれば、ペン入力可能なタブレット型電子機器を屋外で携帯しての使用状態でもディスク記録媒体の着脱が安全に行え、さらに表示部を回転することによりペン入力を容易にしたタブレット型に構成する際など、ディスク駆動装置を覆うディスクカバーが開いた状態でも、ディスクカバーを破壊することのない電子機器を提供することができる。
【発明を実施するための最良の形態】
【００１３】
以下本発明を実施するための最良の形態について、図面を参照しながら説明する。
【００１４】
（実施の形態１）
図１は、本発明の一実施の形態における電子機器の表示部が開いた状態を示す外観斜視図、図２は表示部を回転させた状態を示す外観斜視図である。
【００１５】
図１において、本体１にはディスク駆動装置２が内蔵され、ディスク駆動装置２の上面には、ディスク記録媒体３が着脱可能に載置されている。そして、ディスク駆動装置２を覆うように本体１の上面に平行な軸４を中心に開閉可能な状態でディスクカバー５が取り付けられている。ディスク記録媒体３を着脱するには、ディスクカバー５を開閉することによって行う。このときのディスクカバー５が開く最大角度は、容易に外力が加わっても閉じやすい９０°以下の角度としている。
【００１６】
また、表示部６は表示装置（図示せず）を有し、表示部６の表面には、ペン入力のためのタブレット装置７が配置され、また、本体１と表示部６は、二方向に回転可能な二軸ヒンジ８で結合し、表示部６が、本体１の上面に略平行な第一の軸９と、本体１の上面に略直交する第二の軸１０とを中心にそれぞれ回転可能な状態に構成される。
【００１７】
ディスクカバー５の軸４は、表示部６を本体１に重ね合わせて閉じる際、二軸ヒンジ８の第一の軸９と略平行方向で、かつ、この本体１の上面において第一の軸９に対して反対方向にディスクカバー５が開閉されるように配置されている。また、ディスクカバー５の軸４と第一の軸９とが平行状態のときの間隔は、二軸ヒンジ８の第二の軸１０と表示部６の筐体外縁６ａとの距離よりも狭くなっている。これによって、図２に示すように、表示部６が二軸ヒンジ８の第二の軸１０を中心に回転されたとき、表示部６の筐体外縁６ａが開かれたディスクカバー５の背面に当接する位置関係となっている。
【００１８】
また、本体の上面には入力装置であるキーボード１１が配置されている。
【００１９】
以上のように構成された本発明の電子機器において、通常の使用状態では、表示部６の表示装置と、キーボード１１を使用するが、使用後、図１のように、誤ってディスクカバー５が開いた状態のままで、表示部６を二軸ヒンジ８の第一の軸９を中心に回転させ、本体１に重ねるように閉じようとしたとき、表示部６はディスクカバー５に接触するが、閉じる方向がディスクカバー５を閉じる方向と同じであるため、さらに閉じてもディスクカバー５が押されてほとんど抵抗なく一緒に閉じられる。
【００２０】
また、図２において、表示部６を、二軸ヒンジ８の第二の軸１０を中心に回転させようとしたとき、ディスクカバー５が開いた状態にあった場合、表示部６の筐体外縁６ａがディスクカバー５に接触するが、さらに回転させてもディスクカバー５を閉じる方向に押していくため、ディスクカバー５がほとんど抵抗なく閉じられる。
【００２１】
なお、ディスクカバー５と二軸ヒンジ８の第二の軸１０との位置関係によっては、表示部６を逆方向に回転させたときに、ディスクカバー５の側面に当たり、うまく閉じられない場合が考えられる。その場合は、回転方向が１方向のみになるようにクラッチ等を設ければよい。
【００２２】
また、ディスクカバー５に傷が付かないように表示部６の筐体外縁６ａにゴムなどの弾性体を設けてもよい。
【００２３】
このように、かかる構成によれば、ディスク駆動装置のディスクカバーが、本体の上面に平行な軸を中心に回転可能な状態に構成され、このディスクカバーが開いた状態で、表示部を本体の上面に平行な第一の軸を中心に閉じようとするとき、または、ペン入力可能なタブレット型に構成する際、本体の上面に直交する第二の軸を中心に回転することにより、表示部がディスクカバーを閉じる方向に当接し、ディスクカバーは押されて容易に閉じられるため、ディスク駆動装置を覆うディスクカバーが開いた状態でも、ディスクカバーを破壊することなく表示部を回転動作可能とすることができる。
【００２４】
また、ペン入力可能なタブレット型電子機器として屋外で携帯しての使用状態でも、タブレット装置が配置された表示部が本体の上面に重ね合わせられるので、不用意にディスクカバーが開くこともなく、従って、載置されたディスク記録媒体が落下してしまうということもない。
【００２５】
なお、本実施の形態では、タブレット型電子機器を例に挙げたが、本発明はこれに限定されるものではなく、例えば、表示装置を対面の顧客等に見せるため、表示部を回転できるようにしたものも考えられ、要するに、電子機器の本体に対して表示部を水平回転可能なものであれば本発明が適用可能である。
【産業上の利用可能性】
【００２６】
本発明にかかる電子機器は、屋外での携帯使用状態でもディスク記録媒体の着脱を安全に行うことができ、ディスクカバーを破壊することなく表示部の回転動作が可能になるので、ペン入力可能なタブレット型電子機器やＤＶＤプレーヤー等の表示装置付き電子機器として有用である。
【図面の簡単な説明】
【００２７】
【図１】本発明の一実施の形態における電子機器の表示部が開いた状態を示す外観斜視図
【図２】本発明の一実施の形態における電子機器の表示部を回転させた状態を示す外観斜視図
【図３】従来の電子機器のディスク記録媒体の着脱状態を示す外観斜視図
【符号の説明】
【００２８】
１  本体
２  ディスク駆動装置
３  ディスク記録媒体
４  軸
５  ディスクカバー
６  表示部
６ａ  筐体外縁
７  タブレット装置
８  二軸ヒンジ
９  第一の軸
１０  第二の軸
【図１】
0004670560.tif 000002
【図２】
0004670560.tif 000003
【図３】
0004670560.tif 000004